(57)【要約】【課題】撮影中に既に記録済みのタイムコード位置や、これから撮影されるタイムコード位置に対して付加情報を付与することができる撮像付加情報登録システムを提供する。【解決手段】撮影装置１００は、付加情報ファイル取得部１０８で取得した付加情報ファイル内のタイムコードが示す時刻が、現在の撮影装置１００のタイムコードの時刻よりも前であるときには、すぐに付加情報ファイルを付加情報ファイル記憶部１０１に格納し、付加情報ファイル取得部１０８で取得した付加情報ファイル内のタイムコードが示す時刻が、現在の撮影装置１００のタイムコードの時刻よりも後であるときには、付加情報ファイル内のタイムコードが撮影タイムコードと等しくなったときに付付加情報ファイル記憶部１０１に格納する。【選択図】図１
2008306398.tif 000002
【特許請求の範囲】
【請求項１】
入射する光学的映像に基づき映像データを生成する撮影装置と、前記撮影装置で生成された映像データに付加情報を設定する付加情報設定装置とを備えた撮影付加情報登録システムであって、
前記撮影装置は、
前記映像データを映像ファイルとして記録するとともに、当該撮影装置において撮影動作中に生成される第１の時間情報を記録するファイル記憶部と、
前記ファイル記憶部から読み出された前記映像ファイル及び前記第１の時間情報を外部に送信可能であり、外部から送られてきた付加情報を受信可能である第１の通信部と、
前記第１の通信部で受信した前記付加情報を取得する付加情報取得部と、
前記付加情報取得部で取得した前記付加情報に含まれる第２の時間情報と、前記第１の時間情報とを管理する記録時間情報管理部と、
前記記録時間情報管理部の制御により付加情報ファイルを格納する付加情報ファイル記憶部とを備え、
前記付加情報設定装置は、
前記映像ファイル及び前記第１の時間情報を外部から受信可能であると共に、外部へ前記付加情報を送信可能である第２の通信部と、
前記第２の通信部で受信した前記映像ファイル及び前記第１の時間情報を取得するファイル取得部と、
ユーザによる前記付加情報及び前記第２の時間情報の設定操作を受け付けて、当該第２の時間情報を含む付加情報を生成する付加情報設定部とを備え、
前記撮影装置は、前記付加情報取得部が前記付加情報を取得した時、
前記第２の時間情報が示す時刻が現在の前記第１の時間情報が示す時刻よりも前であるときには、前記付加情報ファイル記憶部に格納されている前記付加情報ファイルにおける前記第２の時間情報が示す位置に、前記付加情報を追加し、
前記第２の時間情報が示す時刻が現在の前記第１の時間情報が示す時刻よりも後であるときには、前記第２の時間情報が示す時刻と前記第１の時間情報が示す時刻とが等しくなったときに、前記付加情報ファイル記憶部に格納されている前記付加情報ファイルにおける前記第２の時間情報が示す位置に、前記付加情報を追加する、撮影付加情報登録システム。
【請求項２】
前記ファイル記憶部は、
撮影された映像を第１の映像ファイルとして記録する第１の映像ファイル記憶部と、
前記第１の映像ファイルと同じ画像を前記第１の映像ファイルよりも少ない符号量で構成した第２の映像ファイルを記録する第２の映像ファイル記憶部と
前記第１の時間情報を記録する時間情報記憶部とを備えた、請求項１記載の撮影付加情報登録システム。
【請求項３】
前記ファイル取得部で取得した前記第２の映像ファイルに基づく映像と、前記第１の時間情報に基づく映像とを関連付けて表示する表示部を、さらに備えた、請求項２記載の撮影付加情報登録システム。
【請求項４】
前記撮影装置において、
前記ファイル記憶部は、
撮影された映像を映像ファイルとして記録する映像ファイル記憶部と、
前記映像ファイルと同じ画像に撮影時の時間情報を付与し、かつ前記映像ファイルよりも少ない符号量で構成した時間情報付き低解像度映像ファイルを記録する時間情報付き低解像度映像ファイル記憶部とを備え、
前記時間情報付き低解像度映像ファイル記憶部内の前記時間情報付き低解像度映像ファイルを読み出す時間情報付き低解像度映像ファイル読み出し部をさらに備え、
前記第１の通信部は、前記時間情報付き低解像度映像ファイル読み出し部から読み出された前記時間情報付き低解像度映像ファイルを外部に送信可能であるとともに、外部から送られてきた付加情報ファイルを受信可能である構成とした、請求項１記載の撮影付加情報登録システム。
【請求項５】
前記撮影装置は、
撮影した映像を複数ファイルに交互に繰り返し記録するループ記録機能を有し、
ループの先頭の時間情報が示す時刻が、前記付加情報内の時間情報が示す時刻よりも後である場合に、前記付加情報ファイル記憶部に格納されている前記付加情報ファイル内の付加情報を削除する付加情報削除部を備えた、請求項１〜４のいずれかに記載の撮影付加情報登録システム。
【請求項６】
前記第１の通信部と前記第２の通信部とは、無線通信手段で接続されている、請求項１〜５のいずれかに記載の撮影付加情報登録システム。
【発明の詳細な説明】
【技術分野】
【０００１】
本発明は、撮影データの付加情報登録機能をもった撮影装置、付加情報設定装置に関する。
【背景技術】
【０００２】
従来は、編集支援システムが電子マークデータのみを撮像装置に送り、撮像装置が現在撮影中の映像データに送られてきた電子マークデータを埋め込んでいた（例えば、特許文献１参照）。
【特許文献１】特開２００３−２９９０１０号公報
【発明の開示】
【発明が解決しようとする課題】
【０００３】
しかしながら特許文献１に開示されている構成では、現在撮影しているタイムコード位置には付加情報を付与することはできるが、撮影中に既に記録済みのタイムコード位置やこれから撮影されるタイムコード位置に対しては、付加情報を付与することができなかった。
【０００４】
本発明は、撮影中に既に記録済みのタイムコード位置や、これから撮影されるタイムコード位置に対して付加情報を付与することができる撮像付加情報登録システムを提供することを目的とする。
【課題を解決するための手段】
【０００５】
本発明の撮影付加情報登録システムの構成は、入射する光学的映像に基づき映像データを生成する撮影装置と、前記撮影装置で生成された映像データに付加情報を設定する付加情報設定装置とを備えた撮影付加情報登録システムであって、前記撮影装置は、前記映像データを映像ファイルとして記録するとともに、当該撮影装置において撮影動作中に生成される第１の時間情報を記録するファイル記憶部と、前記ファイル記憶部から読み出された前記映像ファイル及び前記第１の時間情報を外部に送信可能であり、外部から送られてきた付加情報を受信可能である第１の通信部と、前記第１の通信部で受信した前記付加情報を取得する付加情報取得部と、前記付加情報取得部で取得した前記付加情報に含まれる第２の時間情報と、前記第１の時間情報とを管理する記録時間情報管理部と、前記記録時間情報管理部の制御により付加情報ファイルを格納する付加情報ファイル記憶部とを備え、前記付加情報設定装置は、前記映像ファイル及び前記第１の時間情報を外部から受信可能であると共に、外部へ前記付加情報を送信可能である第２の通信部と、前記第２の通信部で受信した前記映像ファイル及び前記第１の時間情報を取得するファイル取得部と、ユーザによる前記付加情報及び前記第２の時間情報の設定操作を受け付けて、当該第２の時間情報を含む付加情報を生成する付加情報設定部とを備え、前記撮影装置は、前記付加情報取得部が前記付加情報を取得した時、前記第２の時間情報が示す時刻が現在の前記第１の時間情報が示す時刻よりも前であるときには、前記付加情報ファイル記憶部に格納されている前記付加情報ファイルにおける前記第２の時間情報が示す位置に、前記付加情報を追加し、前記第２の時間情報が示す時刻が現在の前記第１の時間情報が示す時刻よりも後であるときには、前記第２の時間情報が示す時刻と前記第１の時間情報が示す時刻とが等しくなったときに、前記付加情報ファイル記憶部に格納されている前記付加情報ファイルにおける前記第２の時間情報が示す位置に、前記付加情報を追加するものである。
【発明の効果】
【０００６】
本発明では、低解像度の映像ファイルとタイムコードファイルを同時に付加情報設定装置に送ることにより、指定した任意のタイムコードに付加情報を登録することや、撮影時刻より先の時刻の付加情報を登録することができるため、撮影後に付加情報を付与する負荷を削減し、効率的な映像制作を行うことができる。
【発明を実施するための最良の形態】
【０００７】
本発明の撮影付加情報登録システムの第１の構成において、前記ファイル記憶部は、撮影された映像を第１の映像ファイルとして記録する第１の映像ファイル記憶部と、前記第１の映像ファイルと同じ画像を前記第１の映像ファイルよりも少ない符号量で構成した第２の映像ファイルを記録する第２の映像ファイル記憶部と前記撮影タイムコードをタイムコードファイルとして記録するタイムコードファイル記憶部とを備えた構成とすることができる。
【０００８】
また、前記ファイル取得部で取得した前記第２の映像ファイルに基づく映像と、前記タイムコードファイルに基づく映像とを関連付けて表示する表示部を、さらに備えた構成とすることができる。
【０００９】
また、前記撮影装置において、前記ファイル記憶部は、撮影された映像を映像ファイルとして記録する映像ファイル記憶部と、前記映像ファイルと同じ画像に撮影時の時間情報を付与し、かつ前記映像ファイルよりも少ない符号量で構成した時間情報付き低解像度映像ファイルを記録する時間情報付き低解像度映像ファイル記憶部とを備え、前記時間情報付き低解像度映像ファイル記憶部内の前記時間情報付き低解像度映像ファイルを読み出す時間情報付き低解像度映像ファイル読み出し部をさらに備え、前記第１の通信部は、前記時間情報付き低解像度映像ファイル読み出し部から読み出された前記時間情報付き低解像度映像ファイルを外部に送信可能であるとともに、外部から送られてきた付加情報ファイルを受信可能である構成とした構成とすることができる。
【００１０】
また、本発明の撮影付加情報登録システムの第１〜第３の構成において、前記撮影装置は、撮影した映像を複数ファイルに交互に繰り返し記録するループ記録機能を有し、ループの先頭のタイムコードが前記付加情報ファイル内のタイムコード時刻よりも後の時刻を示す場合に、前記付加情報ファイル記憶部に格納されてある前記付加情報ファイル内の付加情報を削除する付加情報削除部を備えた構成とすることができる。
【００１１】
また、本発明の撮影付加情報登録システムの第１〜第３の構成において、前記第１の通信部と前記第２の通信部とは、無線通信手段で接続されている構成とすることができる。
【００１２】
（実施の形態１）
図１は、実施の形態１における撮影付加情報登録システムの構成を示す。撮影付加情報登録システムは、撮影装置１００と付加情報設定装置２００とから構成されている。撮影装置１００は、付加情報ファイル記憶部１０１、映像ファイル記憶部１０２（第１の映像ファイル記憶部）、低解像度映像ファイル記憶部１０３（第２の映像ファイル記憶部）、タイムコードファイル記憶部１０４（時間情報記憶部）、通信部１０５（第１の通信部）、低解像度映像ファイル読み出し部１０６、タイムコードファイル読み出し部１０７、付加情報ファイル取得部１０８（付加情報取得部）、および記録タイムコード管理部１０９（記録時間情報管理部）を備えている。また、付加情報設定装置２００は、低解像度映像ファイル取得部２０１、タイムコードファイル取得部２０２、通信部２０３（第２の通信部）、表示部２０４、および付加情報ファイル設定部２０５（付加情報設定部）を備えている。なお、ファイル記憶部は、映像ファイル記憶部１０２、低解像度映像ファイル記憶部１０３、タイムコードファイル記憶部１０４を備えている。また、ファイル取得部は、低解像度映像ファイル取得部２０１、タイムコードファイル取得部２０２を備えている。
【００１３】
撮影装置１００は、映像ファイルと、映像ファイルよりも解像度が低い低解像度映像ファイルと、タイムコードファイルと、付加情報ファイルとを情報媒体に記録する装置である。映像ファイル及び低解像度映像ファイルには、撮影された映像データが含まれる。また、タイムコードファイルには、タイムコード情報が含まれる。また、付加情報ファイルには、クリップ名、撮影開始時のタイムコード及び付加情報が付与されたタイムコード、撮影場所、および撮影内容の付加情報が含まれる。
【００１４】
図２Ａ〜図２Ｃは、撮影装置１００内に記憶されている付加情報ファイルの内容を示す。撮影装置１００が撮影動作を開始すると、図２Ａに示すように、付加情報ファイル記憶部１０１内に記憶されている付加情報ファイルの内容に、クリップ名（０００１）と記録開始撮影開始時のタイムコード（００：００：００：００）とが追加され、付加情報ファイル３００が生成される。また、同時に映像ファイル記憶部１０２に映像ファイル（ファイル名：０００１．ｍｘｆ）が作成され、低解像度映像ファイル記憶部１０３に低解像度映像ファイル（ファイル名：０００１．ｍｐ４）が作成され、タイムコードファイル記憶部１０４にタイムコードファイル（ファイル名：０００１．ｂｉｎ）が作成される。
【００１５】
撮影中に付加情報設定装置２００が付加情報を登録する場合、低解像度映像ファイル取得部２０１は、通信部２０３に低解像度映像ファイル取得命令を送る。また、タイムコードファイル取得部２０２は、通信部２０３にタイムコードファイル取得命令を送る。
【００１６】
通信部２０３は、低解像度映像ファイル取得命令を受けると、撮影装置１００の通信部１０５に、無線ＬＡＮを介して低解像度映像ファイル取得命令を送る。通信部１０５は、低解像度映像ファイル取得命令を受けると、低解像度映像ファイル読み出し部１０６に読み出し命令を送る。低解像度映像ファイル読み出し部１０６は、読み出し命令を受けると、低解像度映像ファイル記憶部１０３から低解像度映像ファイル（０００１．ｍｐ４）を読み出し、読み出した低解像度映像ファイルを通信部１０５に送る。
【００１７】
同様に、通信部２０３は、タイムコードファイル取得命令を受けると、撮影装置１００の通信部１０５に、無線ＬＡＮを介してタイムコードファイル取得命令を送る。通信部１０５は、タイムコードファイル取得命令を受けると、タイムコードファイル読み出し部１０７に読み出し命令を送る。タイムコードファイル読み出し部１０７は、読み出し命令を受けると、タイムコードファイル記憶部１０４からタイムコードファイル（０００１．ｂｉｎ）を読み出し、読み出したタイムコードファイルを通信部１０５に送る。
【００１８】
通信部１０５は、受けた低解像度映像ファイルとタイムコードファイルとを、無線ＬＡＮを介して、付加情報設定装置２００の通信部２０３に送る。通信部２０３は、低解像度映像ファイルを低解像度映像ファイル取得部２０１へ送るとともに、タイムコードファイルをタイムコードファイル取得部２０２へ送る。取得した低解像度映像ファイルとタイムコードファイルは、それぞれ低解像度映像ファイル取得部２０１及びタイムコードファイル取得部２０２で、低解像度の映像データとタイムコード情報とにデコードされる。
【００１９】
表示部２０４は、取得した低解像度映像ファイル（０００１．ｍｐ４）の映像データに基づく映像と、タイムコードファイル（０００１．ｂｉｎ）のタイムコード情報とを、多重して表示する。
【００２０】
次に、付加情報の登録方法について説明する。
【００２１】
ユーザは、表示部２０４に表示される映像とタイムコード情報とを確認しながら、付加情報ファイル設定部２０５を操作して、任意の付加情報を設定する。図３Ａ及び図３Ｂは、ユーザによって任意に設定された付加情報の一例を示す。図３Ａは、００：００：１０：００のタイムコード位置に付加しようとしている付加情報である。図３Ｂは、００：００：３０：００のタイムコード位置に付加しようとしている付加情報である。
【００２２】
以下、付加情報の登録方法について具体的に説明する。なお、以下の説明では、撮影開始時のタイムコードが００：００：００：００で、撮影開始から１５秒後の時刻に図３Ａに示す付加情報４００と図３Ｂに示す付加情報４０１とを付与する方法を一例として挙げて説明する。
【００２３】
まず、付加情報ファイル設定部２０５は、ユーザーによって付加情報４００及び４０１が設定されると、付加情報送信命令を通信部２０３に送る。通信部２０３は、付加情報送信命令を受けると、撮影装置１００の通信部１０５に、無線ＬＡＮを介して付加情報４００及び４０１を送信する。通信部１０５は、受信した付加情報４００及び４０１を、付加情報ファイル取得部１０８に送る。
【００２４】
付加情報４００及び４０１は、撮影開始から１５秒後の時刻に設定されるので、設定時における撮影装置１００のタイムコードは００：００：１５：００である。したがって、付加情報４００のタイムコード（００：００：１０：００）に示す時刻は、撮影装置１００のタイムコードに示す時刻よりも前なので、記録タイムコード管理部１０９は、付加情報ファイル取得部１０８が付加情報４００を受信後、直ちに付加情報４００を付加情報ファイル記憶部１０１に送る。
【００２５】
また、付加情報４０１のタイムコード（００：００：３０：００）に示す時刻は、撮影装置１００のタイムコード（００：００：１５：００）に示す時刻よりも後なので（すなわち、撮影時のタイムコードに示す時刻は、付加情報４０１のタイムコードに示す時刻に達していない）、この時点では記録タイムコード管理部１０９は付加情報４０１を付加情報ファイル記憶部１０１に送らない。
【００２６】
よって、撮影装置１００のタイムコードが００：００：１５：００の時刻において、付加情報ファイル記憶部１０１に記憶されている付加情報ファイルは、図２Ｂに示す付加情報ファイル３０１に更新される。
【００２７】
次に、撮影装置１００の撮影動作が継続し、撮影装置１００のタイムコードが付加情報４０１のタイムコード００：００：３０：００に一致した時点で、記録タイムコード管理部１０９は、付加情報ファイル取得部１０８に蓄積しておいた付加情報４０１を付加情報ファイル記憶部１０１に送る。これにより、付加情報ファイル記憶部１０１に記憶されている付加情報ファイルは、図２Ｃに示すように付加情報４００及び４０１が追加された付加情報ファイル３０２に更新される。
【００２８】
また、撮像装置１００の撮影動作がタイムコード００：００：３０：００の時刻の前に停止された場合は、付加情報ファイル取得部１０８に蓄積されていた付加情報４０１は破棄される。したがって、付加情報ファイル記憶部１０１に記憶されている付加情報ファイルは、図２Ｂに示す付加情報ファイル３０１のままになる。
【００２９】
以上のように本実施の形態によれば、撮影装置１００のタイムコードが示す時刻よりも前の時刻に対応する付加情報、または撮影装置１００のタイムコードが示す時刻よりも先の時刻に対応する付加情報を登録することができるため、撮影動作と付加情報の登録とを同時進行で行うことができ、効率的な映像制作が可能になる。
【００３０】
（実施の形態２）
図４は、実施の形態２における撮影付加情報登録システムの構成を示す。撮影付加情報登録システムは、撮影装置５００と付加情報設定装置６００とから構成されている。撮影装置５００は、付加情報ファイル記憶部５０１、映像ファイル記憶部５０２、タイムコード付低解像度映像ファイル記憶部５０３（時間情報付低解像度映像ファイル記憶部）、通信部５０４（第１の通信部）、タイムコード付低解像度映像ファイル読み出し部５０５（時間情報付低解像度映像ファイル読み出し部）、付加情報ファイル取得部５０６（付加情報取得部）、および記録タイムコード管理部５０７（記録時間情報管理部）を備える。また、付加情報設定装置６００は、タイムコード付低解像度映像ファイル取得部６０１（ファイル取得部）、通信部６０２（第２の通信部）、表示部６０３、および付加情報ファイル設定部６０４（付加情報設定部）を備える。なお、ファイル記憶部は、付加情報ファイル記憶部５０１及び映像ファイル記憶部５０２を備えている。
【００３１】
撮影装置５００は、映像ファイルと、映像ファイルよりも解像度が低い映像にタイムコードを多重したタイムコード付低解像度映像ファイルと、付加情報ファイルとを、情報媒体に記録する装置である。映像ファイルには、撮影装置５００で撮影された映像データが含まれている。タイムコード付低解像度映像ファイルには、撮影装置５００で撮影された映像データとタイムコードとが含まれている。付加情報ファイルには、クリップ名、撮影開始時のタイムコード及び付加情報が付与されたタイムコード、撮影場所、および撮影内容などの付加情報が含まれている。
【００３２】
撮影装置５００が撮影動作を開始すると、付加情報ファイル記憶部５０１内に記憶されている付加情報ファイルの内容に、クリップ名（０００１）と、撮影開始時のタイムコード（００：００：００：００）とが追加され、付加情報ファイル記憶部５０１内に記憶されている付加情報ファイルは、図２Ａに示す付加情報ファイル３００に更新される。また、同時に、映像ファイル記憶部５０２には映像ファイル（ファイル名：０００１．ｍｘｆ）が作成され、タイムコード付低解像度映像ファイル記憶部５０３にはタイムコード付低解像度映像ファイル（ファイル名：０００１．ｍｐ４）が作成される。
【００３３】
次に、撮影中に付加情報設定装置６００で作成された付加情報を、撮影中の映像に付与する動作について説明する。
【００３４】
まず、タイムコード付低解像度映像ファイル取得部６０１が、通信部６０２に対してタイムコード付低解像度映像ファイル取得命令を送る。
【００３５】
通信部６０２は、タイムコード付低解像度映像ファイル取得命令を受けると、撮影装置５００の通信部５０４に、無線ＬＡＮを介してタイムコード付低解像度映像ファイル取得命令を送る。
【００３６】
通信部５０４は、タイムコード付低解像度映像ファイル取得命令を受けると、タイムコード付低解像度映像ファイル読み出し部５０５に読み出し命令を送る。タイムコード付低解像度映像ファイル読み出し部５０５は、読み出し命令を受けると、タイムコード付低解像度映像ファイル記憶部５０３からタイムコード付低解像度映像ファイル（０００１．ｍｐ４）を読み出し、読み出したタイムコード付低解像度映像ファイルを通信部５０４に送る。
【００３７】
通信部５０４は、受けたタイムコード付低解像度映像ファイルを、無線ＬＡＮを介して付加情報設定装置６００の通信部６０２に送る。通信部６０２は、タイムコード付低解像度映像ファイルをタイムコード付低解像度映像ファイル取得部６０１へ送る。タイムコード付低解像度映像ファイル取得部６０１は、取得したタイムコード付低解像度映像ファイルをデコードし、映像データとタイムコード情報を得る。
【００３８】
表示部６０３は、タイムコード付低解像度映像ファイル取得部６０１でデコードされた映像データとタイムコード情報とを、多重して表示する。
【００３９】
次に、付加情報の登録方法について説明する。
【００４０】
ユーザは、表示部６０３に表示される映像とタイムコード情報とを確認しながら、付加情報ファイル設定部６０４を操作して、任意の付加情報（例えば、図３Ａ及び図３Ｂに示す付加情報）を設定する。
【００４１】
以下、付加情報の登録方法について具体的に説明する。なお、以下の説明において、撮影開始のタイムコードは００：００：００：００で、撮影開始から１５秒後の時刻において図３Ａに示す付加情報４００と図３Ｂに示す付加情報４０１とを付与する方法を一例として挙げて説明する。
【００４２】
まず、付加情報ファイル設定部６０４は、ユーザーによって付加情報４００及び４０１が設定されると、付加情報送信命令を通信部６０２に送る。通信部６０２は、付加情報送信命令を受けると、無線ＬＡＮを介して付加情報４００及び４０１を撮影装置５００の通信部５０４に送信する。通信部５０４は、受信した付加情報４００及び４０１を付加情報ファイル取得部５０６に送る。
【００４３】
付加情報４００及び４０１は、撮影開始から１５秒後の時刻において設定されるので、設定時における撮影装置１００のタイムコードは００：００：１５：００である。したがって、付加情報４００のタイムコード（００：００：１０：００）が示す時刻は、撮影装置５００のタイムコードが示す時刻よりも前なので、記録タイムコード管理部５０７は、付加情報ファイル取得部５０６が付加情報４００を受信後、直ちに付加情報４００を付加情報ファイル記憶部５０１に送る。
【００４４】
また、付加情報４０１のタイムコード（００：００：３０：００）が示す時刻は、撮影装置５００のタイムコードが示す時刻よりも後なので（すなわち、撮影装置５００のタイムコードが示す時刻は、付加情報４０１のタイムコードが示す時刻に達していない）、この時点では記録タイムコード管理部５０７は付加情報４０１を付加情報ファイル記憶部５０１に送らない。
【００４５】
よって、撮影装置１００のタイムコードが００：００：１５：００の時点では、付加情報ファイル記憶部５０１に記憶されている付加情報ファイルは、図２Ｂに示す付加情報ファイル３０１に更新される。
【００４６】
次に、撮影装置１００の撮影動作が継続し、撮影装置５００のタイムコードが付加情報４０１のタイムコード００：００：３０：００と一致した時点で、記録タイムコード管理部５０７は、付加情報ファイル取得部５０６に蓄積しておいた付加情報４０１を、付加情報ファイル記憶部５０１に送る。これにより、付加情報ファイル記憶部５０１に記憶されている付加情報ファイルは、図２Ｃに示すように付加情報４００及び４０１が追加された付加情報ファイル３０２に更新される。
【００４７】
また、撮影装置１００の撮影動作がタイムコード００：００：３０：００の前の時点で停止された場合は、付加情報ファイル取得部５０６に蓄積されていた付加情報４０１は破棄される。したがって、付加情報ファイル記憶部５０１に記憶されている付加情報ファイルは、図２Ｂに示す付加情報ファイル３０１のままになる。
【００４８】
以上のように本実施の形態によれば、撮影装置５００のタイムコードが示す時刻よりも前の時刻に対応する付加情報、または撮影装置５００のタイムコードが示す時刻よりも先の時刻に対応する付加情報を登録することができるため、撮影動作と付加情報の登録とを同時進行で行うことができ、効率的な映像制作が可能になる。
【００４９】
（実施の形態３）
図５は、実施の形態３における撮影付加情報登録システムの構成を示す。撮影付加情報登録システムは、撮影装置７００と付加情報設定装置８００とから構成されている。撮影装置７００は、付加情報ファイル記憶部７０１、映像ファイル記憶部７０２、低解像度映像ファイル記憶部７０３、タイムコードファイル記憶部７０４、通信部７０５（第１の通信部）、低解像度映像ファイル読み出し部７０６、タイムコードファイル読み出し部７０７、付加情報ファイル取得部７０８（付加情報取得部）、記録タイムコード管理部７０９（記録時間情報管理部）、および付加情報ファイル削除部７１０（付加情報削除部）を備えている。また、付加情報設定装置８００は、低解像度映像ファイル取得部８０１、タイムコードファイル取得部８０２、通信部８０３（第２の通信部）、表示部８０４、および付加情報ファイル設定部８０５（付加情報設定部）を備えている。なお、ファイル記憶部は、付加情報ファイル記憶部７０１及び映像ファイル記憶部７０２を備えている。また、ファイル取得部は、低解像度映像ファイル取得部８０１及びタイムコードファイル取得部８０２を備えている。
【００５０】
撮影装置７００は、映像ファイルと、映像ファイルよりも解像度が低い低解像度映像ファイルと、タイムコードファイルと、付加情報ファイルとを情報媒体に記録可能な装置である。映像ファイル及び低解像度映像ファイルには、撮影された映像データが含まれている。タイムコードファイルには、タイムコード情報が含まれている。付加情報ファイルには、クリップ名、撮影開始時のタイムコード及び付加情報が付与されたタイムコード、撮影場所、および撮影内容の付加情報などが含まれている。また、撮影装置７００は、一定時間間隔で、映像ファイルと低解像度映像ファイルとタイムコードファイルとを、それぞれ複数ファイルに交互に繰り返し記録するループ記録機能を有する。
【００５１】
図６Ａ〜図６Ｃは、撮影装置７００に記憶されている付加情報ファイルの内容を示す。図７Ａ及び図７Ｂは、付加情報設定装置８００で設定される付加情報の内容を示す。図８Ａ〜図８Ｃは、撮影装置７００に記憶されている映像ファイル、低解像度映像ファイル、およびタイムコードファイルのファイル情報を示す。
【００５２】
撮影装置７００が最初に撮影開始されると、付加情報ファイル記憶部７０１に記憶されている付加情報ファイルの内容に、クリップ名（０００１）と、撮影開始時のタイムコード（００：００：００：００）とが追加され、付加情報ファイル記憶部７０１に記憶されている付加情報ファイルが、図６Ａに示す内容の付加情報ファイル９００に更新される。また、同時に、映像ファイル記憶部７０２に映像ファイル（ファイル名：0001-1.mxf）が作成され、低解像度映像ファイル記憶部７０３に低解像度映像ファイル（ファイル名：0001-1.mp4）が作成され、タイムコードファイル記憶部７０４にタイムコードファイル（ファイル名：0001-1.bin）が作成される。したがって、撮影装置７００内の記憶部には、図８Ａに示す３つのファイルが記録される。
【００５３】
次に、１分間隔で、映像データを２つのファイルに交互に繰り返し記録する場合、撮影装置７００の撮影開始から１分後には、映像ファイル記憶部７０２に新たな映像ファイル（ファイル名：0001-2.mxf）が作成され、低解像度映像ファイル記憶部７０３に新たな低解像度映像ファイル（ファイル名：0001-2.mp4）が作成され、タイムコードファイル記憶部７０４に新たなタイムコードファイル（ファイル名：0001-2.bin）が作成される。したがって、撮影装置７００内の記憶部には、図８Ｂに示す６つのファイルが記録される。
【００５４】
次に、撮影装置７００の撮影開始から２分後には、図８Ｂにおける映像ファイル（ファイル名：0001-1.mxf）と、低解像度映像ファイル（ファイル名：0001-1.mp4）と、タイムコードファイル（ファイル名：0001-1.bin）とが削除される。また、映像ファイル記憶部７０２に新たな映像ファイル（ファイル名：0001-3.mxf）が作成され、低解像度映像ファイル記憶部７０３に新たな低解像度映像ファイル（ファイル名：0001-3.mp4）が作成され、タイムコードファイル記憶部７０４に新たなタイムコードファイル（ファイル名：0001-3.bin）が作成される。したがって、撮影装置内の記憶部は、図８Ｃに示す６つのファイルが記録されている状態になる。すなわち、ファイルを古い順番で削除しながら、常に最大６つの新しいファイルが存在するように記録制御される。
【００５５】
繰り返し記録での撮影中、撮影開始から１分４０秒後に、ユーザーによって付加情報設定装置８００が操作されて、図７Ａに示す付加情報１０００及び図７Ｂに示す付加情報１００１を登録する場合の動作について説明する。
【００５６】
ユーザーにより付加情報を登録するための操作が行われた場合、低解像度映像ファイル取得部８０１は、通信部８０３に低解像度映像ファイル取得命令を送る。また、タイムコードファイル取得部８０２は、通信部８０３にタイムコードファイル取得命令を送る。
【００５７】
通信部８０３は、低解像度映像ファイル取得命令を受けると、撮影装置７００の通信部７０５に、無線ＬＡＮを介して低解像度映像ファイル取得命令を送る。通信部７０５は、低解像度映像ファイル取得命令を受けると、低解像度映像ファイル読み出し部７０６に読み出し命令を送る。この時、撮影装置内のファイルの状態は、図８Ｂに示す状態になっているので、読み出し命令を受けた低解像度映像ファイル読み出し部７０６は、低解像度映像ファイル記憶部７０３から低解像度映像ファイル（ファイル名：0001-1.mp4、0001-2.mp4）とを読み出し、通信部７０５に送る。
【００５８】
同様に、通信部８０３は、タイムコードファイル取得命令を受けると、撮影装置７００の通信部７０５に、無線ＬＡＮを介してタイムコードファイル取得命令を送る。通信部７０５は、タイムコードファイル取得命令を受けると、タイムコードファイル読み出し部７０７に読み出し命令を送る。タイムコードファイル読み出し部７０７は、読み出し命令を受けると、タイムコードファイル記憶部７０４からタイムコードファイル（ファイル名：0001-1.bin、0001-2.bin）を読み出し、通信部７０５に送る。
【００５９】
通信部７０５は、受けた低解像度映像ファイルとタイムコードファイルとを、無線ＬＡＮを介して、付加情報設定装置８００の通信部８０３に送る。通信部８０３は、低解像度映像ファイルを低解像度映像ファイル取得部８０１へ送り、タイムコードファイルをタイムコードファイル取得部８０２へ送る。低解像度映像ファイル取得部８０１は、取得した低解像度映像ファイルをデコードし、映像データを表示部８０４に出力する。また、タイムコードファイル取得部８０２は、取得したタイムコードファイルをデコードし、タイムコード情報を表示部８０４に出力する。
【００６０】
表示部８０４は、取得した低解像度映像ファイル（ファイル名：0001-1.mp4、0001-2.mp4）の映像データに基づく映像と、タイムコードファイル（ファイル名：0001-1.bin、0001-2.bin）のタイムコード情報とを、多重して表示する。
【００６１】
次に、付加情報の登録方法について説明する。
【００６２】
ユーザは、表示部８０４に表示される映像とタイムコード情報とを確認しながら、付加情報ファイル設定部８０５を操作して、任意の付加情報を設定する。
【００６３】
付加情報ファイル設定部８０５は、ユーザーによって付加情報１０００及び１００１が設定されると、付加情報送信命令を通信部８０３に送る。通信部８０３は、付加情報送信命令を受けると、撮影装置７００の通信部７０５に、無線ＬＡＮを介して付加情報１０００及び１００１を送信する。通信部７０５は、受信した付加情報１０００及び１００１を付加情報ファイル取得部７０８に送る。
【００６４】
付加情報１０００及び１００１は、撮影開始から１分４０秒後の時刻に登録されるので、この時の撮影装置７００のタイムコードは００：０１：４０：００である。付加情報１０００及び１００１のタイムコードは、それぞれ００：００：１０：００と００：０１：３０：００であり、現時点での撮影装置７００のタイムコード（００：０１：４０：００）の時刻よりも前なので、記録タイムコード管理部７０９は、付加情報１０００及び１００１を受信後、直ちに付加情報１０００及び１００１を付加情報ファイル記憶部７０１に送る。よって、撮影装置８００のタイムコードが００：０１：４０：００の時点では、付加情報ファイル記憶部７０１に記憶されている付加情報ファイルは、図６Ｂに示す付加情報ファイル９０１に更新される。
【００６５】
次に、撮影装置８００の撮影動作が継続し、撮影装置７００のタイムコードが００：０２：００：００になると、撮影装置内の記憶部に記憶されているファイルの状態は図８Ｃに示す状態になる。付加情報ファイルの先頭のタイムコードの値が、００：０１：００：００に変更される。
【００６６】
付加情報１０００のタイムコード（００：００：１０：００）が示す時刻は、付加情報ファイル記憶部７０１に記憶されている付加情報ファイルの先頭のタイムコードが示す時刻よりも前であるので、記録タイムコード管理部７０９は、付加情報ファイル削除部７１０に付加情報１０００を削除する命令を送る。
【００６７】
付加情報ファイル削除部７１０は、削除命令を受けると付加情報ファイル記憶部７０１に記憶されている付加情報ファイルにおける、付加情報１０００の部分を削除する。これにより、付加情報ファイル記憶部７０１に記憶されている付加情報ファイルは、図６Ｃに示す付加情報ファイル９０２に更新される。
【００６８】
以上のように本実施の形態によれば、撮影装置７００のタイムコードが示す時刻よりも前の時刻に対応する付加情報、または撮影装置７００のタイムコードが示す時刻よりも先の時刻に対応する付加情報を登録することができるため、撮影動作と付加情報の登録とを同時進行で行うことができ、効率的な映像制作が可能になる。
【００６９】
なお、実施の形態１〜３において、タイムコードあるいはタイムコードファイルは、時間情報の一例である。また、撮影装置において撮影動作中に生成されるタイムコードは、第１の時間情報の一例である。また、付加情報に含まれるタイムコードは、第２の時間情報の一例である。
【産業上の利用可能性】
【００７０】
本発明にかかる撮影付加情報登録システムは、現在撮影中の映像データに対し任意のタイムコードの位置に付加情報を登録する機能及び、これから撮影される映像に対しても付加情報を登録する機能を有し、効率的な映像制作を行う際に有用である。
【図面の簡単な説明】
【００７１】
【図１】実施の形態１における撮影付加情報登録システムのブロック図
【図２Ａ】実施の形態１及び２における付加情報ファイルの詳細内容を示す模式図
【図２Ｂ】実施の形態１及び２における付加情報ファイルの詳細内容を示す模式図
【図２Ｃ】実施の形態１及び２における付加情報ファイルの詳細内容を示す模式図
【図３Ａ】実施の形態１及び２における付加情報の詳細内容を示す模式図
【図３Ｂ】実施の形態１及び２における付加情報の詳細内容を示す模式図
【図４】実施の形態２における撮影付加情報登録システムのブロック図
【図５】実施の形態３における撮影付加情報登録システムのブロック図
【図６Ａ】実施の形態３における付加情報ファイルの詳細内容を示す模式図
【図６Ｂ】実施の形態３における付加情報ファイルの詳細内容を示す模式図
【図６Ｃ】実施の形態３における付加情報ファイルの詳細内容を示す模式図
【図７Ａ】実施の形態３における付加情報の詳細内容を示す模式図
【図７Ｂ】実施の形態３における付加情報の詳細内容を示す模式図
【図８Ａ】実施の形態３における撮影装置内のファイル情報を示す模式図
【図８Ｂ】実施の形態３における撮影装置内のファイル情報を示す模式図
【図８Ｃ】実施の形態３における撮影装置内のファイル情報を示す模式図
【符号の説明】
【００７２】
１００、５００、７００  撮影装置
１０１、５０１、７０１  付加情報ファイル記憶部
１０２、５０２、７０２  映像ファイル記憶部
１０３、７０３  低解像度映像ファイル記憶部
１０４、７０４  タイムコードファイル記憶部
１０５、２０３、５０４、６０２、７０５、８０３  通信部
１０６、７０６  低解像度映像ファイル読み出し部
１０７、７０７  タイムコードファイル読み出し部
１０８、５０６、７０８  付加情報ファイル取得部
１０９、５０７、７０９  記録タイムコード管理部
２００、６００、８００  付加情報設定装置
２０１、８０１  低解像度映像ファイル取得部
２０２，８０２  タイムコードファイル取得部
２０４、６０３、８０４  表示部
２０５、６０４、８０５  付加情報ファイル設定部
５０３  タイムコード付低解像度映像ファイル記憶部
５０５  タイムコード付低解像度ファイル読み出し部
６０１  タイムコード付低解像度ファイル取得部
７１０  付加情報ファイル削除部
【図１】
2008306398.tif 000003
【図２Ａ】
2008306398.tif 000004
【図２Ｂ】
2008306398.tif 000005
【図２Ｃ】
2008306398.tif 000006
【図３Ａ】
2008306398.tif 000007
【図３Ｂ】
2008306398.tif 000008
【図４】
2008306398.tif 000009
【図５】
2008306398.tif 000010
【図６Ａ】
2008306398.tif 000011
【図６Ｂ】
2008306398.tif 000012
【図６Ｃ】
2008306398.tif 000013
【図７Ａ】
2008306398.tif 000014
【図７Ｂ】
2008306398.tif 000015
【図８Ａ】
2008306398.tif 000016
【図８Ｂ】
2008306398.tif 000017
【図８Ｃ】
2008306398.tif 000018